(57)【要約】      （修正有）【課題】非使用状態においては便利に取り外すことができ、棚板内を区切ったり、棚板を左右両側へ広げることもでき、使用の利便性が高い収納棚を提供する。【解決手段】収納棚は、物品を収納するための棚板２１と、溝形台座４１と、溝形台座の１つの側壁（左右方向に延びた壁。たとえば後壁）の同一側に位置するとともに、側壁の平面に直交する両アーム４２１，４２２とからなる接続部材４０とを備える。両アームは、棚板の第１側から棚板の溝４に挿入され、第１側に直交し、棚板の物品を積載する平面に略平行とされる。また、溝形台座の溝口は下向きとなっている。【選択図】図４Ａ
0003189214.tif 000002
【実用新案登録請求の範囲】
【請求項１】
物品を収納するための棚板と、
接続部材とを備え、
接続部材は溝形台座と、前記溝形台座の１つの側壁の同一側に位置するとともに、前記側壁の平面に直交する両アームとを備え、
両アームは棚板の第１側から棚板に挿入され、前記第１側に直交し、物品を積載する棚板の平面に略平行であり、かつ溝形台座の溝口が下向きであることを特徴とする収納棚。
【請求項２】
両アームの末端に上向きのフックをそれぞれ有し、
棚板の第１側の上面に、前記第１側の延在方向に直交する溝を２つ有し、２つの溝の間隔は両アームの間隔と等しく、
棚板には、その上面からそれぞれ２つの溝内へ延び、湾曲して２つのタングが形成され、両アームが棚板に挿入されると、フックはそれぞれのタングの自由端に引っ掛けられることを特徴とする請求項１記載の収納棚。
【請求項３】
溝形台座の方向と両アームの延在方向との角度は９０°未満であることを特徴とする請求項１記載の収納棚。
【請求項４】
開口が一定の角度をなすとともに、開口の内部に歯がそれぞれ形成された２つの挟持口を有するヘッド札クリップを複数備え、
棚板の前記第１側の上端に複数の切欠きが形成され、
第１の挟持口は前記上端の下方のに位置しかつ下へ方向に折り曲げられた縁を挟み、かつ前記挟持口の歯が切欠き内に嵌め込まれ、第２の挟持口はヘッド札の下縁を挟み、前記挟持口の歯がヘッド札の下縁付近の穴内に嵌め込まれることを特徴とする請求項１〜３のいずれか記載の収納棚。
【請求項５】
棚板の上面に前記第１側の延在方向に直交する溝を複数有し、
棚板において、溝内に垂直に挿入され、棚板の内部を複数の収納空間に区切るセパレータを少なくとも１つ備えることを特徴とする請求項１〜３のいずれか記載の収納棚。
【請求項６】
棚板は、複数の棚板ユニットが前記延在方向に組み合わせられてなり、
各棚板ユニットの左右縁は、前記第１側に平行な接続穴をそれぞれ有し、接続ロッドが左右隣接する棚板ユニットの接続穴に同時に挿入されることで、２つの棚板ユニットが接続されることを特徴とする請求項１〜３のいずれか記載の収納棚。
【考案の詳細な説明】
【技術分野】
【０００１】
本考案は、機械技術分野に関するものであり、特に収納棚に関する。
【背景技術】
【０００２】
スーパーマーケットでは、商品陳列用の様々な収納棚が使用されている。現在、スーパーマーケットで使用される収納棚は、図１に示すように略直方体形状となっている。図１はスーパーマーケットにおける一般的な収納棚の概略図である。実際の使用において、このような収納棚は使用上の柔軟性に欠ける。
【考案の概要】
【考案が解決しようとする課題】
【０００３】
実際の使用において、このような収納棚は使用上の柔軟性に欠ける。
【課題を解決するための手段】
【０００４】
請求項１に係る本考案によれば、収納棚は、物品を収納するための棚板と、接続部材とを備え、接続部材は溝形台座と、前記溝形台座の１つの側壁の同一側に位置するとともに、前記側壁の平面に直交する両アームとを備え、両アームは棚板の第１側から棚板に挿入され、前記第１側に直交し、物品を積載する棚板の平面に略平行であり、かつ溝形台座の溝口は下向きとされる。
【考案の効果】
【０００５】
本考案では、収納棚の一方側の接続部材に溝形台座を有し、（溝形台座の溝口を利用して接続部材を）水平方向の棒状物体に係合することができ、非使用状態において便利に取り外すことができる。本考案の収納棚によれば、（狭い空間などであっても）柔軟に使用することができる。さらに、本実施例における棚板内を区切ったり、棚板を左右両側へ広げることもでき、使用の利便性が高められる。
【図面の簡単な説明】
【０００６】
【図１】従来におけるスーパーマーケットの収納棚の概略図を示す。
【図２】本実用新案の実施例における収納棚の基本構成部分の概略図を示す。
【図３】本実用新案の実施例における接続部材の構造の概略図を示す。
【図４Ａ】本実用新案の実施例における接続部材と棚板との接続操作の各段階の概略図を示す。
【図４Ｂ】本実用新案の実施例における接続部材と棚板との接続操作の各段階の概略図を示す。
【図４Ｃ】本実用新案の実施例における接続部材と棚板との接続操作の各段階の概略図を示す。
【図４Ｄ】本実用新案の実施例における接続部材と棚板との接続操作の各段階の概略図を示す。
【図４Ｅ】図４Ａの部分断面図を示す。
【図４Ｆ】図４Ｂの部分断面図を示す。
【図４Ｇ】図４Ｃの部分断面図を示す。
【図４Ｈ】図４Ｄの部分断面図を示す。
【図５Ａ】本実用新案の実施例におけるヘッド札の装着を表す概略図を示す。
【図５Ｂ】本実用新案の実施例におけるヘッド札の装着を表す概略図を示す。
【図５Ｃ】本実用新案の実施例におけるヘッド札の装着を表す概略図を示す。
【図５Ｄ】本実用新案の実施例におけるヘッド札の装着を表す概略図を示す。
【図６】本実用新案の実施例における棚板内の収納空間の区切りを表す概略図を示す。
【図７】本実用新案の実施例における棚板の組み合わせ方式を表わす概略図を示す。
【考案を実施するための形態】
【０００７】
収納棚は、物品を収納するための棚板と、接続部材とを備え、接続部材は溝形台座と、前記溝形台座の１つの側壁の同一側に位置するとともに、前記側壁の平面に直交する両アームとを備え、両アームは棚板の第１側から棚板に挿入され、前記第１側に直交し、物品を積載する棚板の平面に略平行であり、かつ溝形台座の溝口は下向きとされる。
【実施例】
【０００８】
以下、図面を用いて本実用新案の例示的な実施例について説明する。この説明にはより十分に説明するための、本実用新案の各詳細についての説明が含まれており、これらは例示に過ぎないと理解される。ここで記載された実施例に対し、本実用新案の範囲及び同一の思想内において変更、修正が生じることは、当業者に容易に想到しうることである。同様に、明瞭かつ簡潔さを図るために的であるように、下記記載において、公知機能と構造に対するついての記載を省略している。
【０００９】
図２は本実用新案の実施例における収納棚の基本構成部分の概略図である。図２に示すように、収納棚２０は、主に物品を収納するための棚板２１と、接続部材４０とを備えている。図３は、本実用新案の実施例における接続部材の構造の概略図である。図３に示すように、接続部材４０は、溝形台座４１と、溝形台座４１の１つの側壁（左右方向に延びた壁。たとえば後壁）の同一側に位置するとともに、前記側壁の平面と直交して（垂直に）延びる両アーム４２１、４２２とにより構成されている。両アーム４２１、４２２は棚板２１の第１側（一方の端。たとえば後端）から棚板に挿入され、前記第１側に直交して、棚板２１の物品を積載する平面と略平行に延びている。溝形台座４１の溝口（すなわち、溝形の開口）は下向きとされている。このように、前記溝口を利用して接続部材を水平方向の棒状物体に係合することができ、非使用状態において取り外すこともできる。
【００１０】
図３は本実用新案の実施例における接続部材の構造の概略図を示し、接続部材４０は両アーム４２１、４２２の末端に上向きのフック４２１１、４２２１をそれぞれ有している。同様に、図４Ａ〜図４Ｈは棚板２１の具体的な構造を示す。図４Ａ〜図４Ｄは本実用新案の実施例における接続部材と棚板との接続操作の各段階の概略図であり、図４Ｅ〜４Ｈは、それぞれ図４Ａ〜図４Ｄの部分断面図である。棚板２１の上面の第１側（一方の端。たとえば後端）に前記第１側の延在方向（後端の延びる方向）と直交する２つの溝４が形成され、２つの溝４の間隔は両アーム４２１、４２２の間隔と等しい。棚板２１の上面からそれぞれ２つの溝４内へ延び、湾曲して２つのタング４３が形成されている。両アーム４２１、４２２が棚板に挿入されると、フック４２１１、４２２１はそれぞれのタング４３の自由端４３１に引っ掛けられる。
【００１１】
接続部材４０と棚板２１とを組み立てるには、まず図４Ａ、図４Ｅに示すように、接続部材４０の両アームを図の矢印に示す方向に斜め下方向へ向けて溝４に挿入する。そして、図４Ｂ、図４Ｆに示すように、図の矢印に示す方向に接続部材を回転させることによりフック４２１１、４２２１の一端が持ち上げられる。続いて、図４Ｃ、図４Ｇに示すように、図の矢印に示す方向に接続部材４０を内側へ押し込む。最後に、図４Ｄ、図４Ｈに示すように、図の矢印に示す方向に接続部材４０を外側へ引き出し、フック４２１１、４２２１を２つのタング４３の自由端４３１にそれぞれ引っ掛ける。上記各図において、図４Ａにのみ溝形台座４１の具体的な形状が示されている。
【００１２】
溝形台座４１の方向（傾き方向。矢印４４で示す方向）と両アーム４２１、４２２の延在方向（矢印４５で示す方向）との間の角度は９０°未満である。必要に応じて、この角度が異なる各種の接続部材４０を選択することができ、棚板が直管に接続された後に棚板と水平面との間に一定の角度が形成され、棚板から物品を取り出すことが容易になる。
【００１３】
実施例における収納棚の頂部にはヘッド札を設けることが可能であり、ヘッド札はヘッド札クリップによって棚板の頂部に挟まれる。図５Ａ〜図５Ｄは、本実用新案の実施例におけるヘッド札の装着を表す概略図である。図５Ａはヘッド札クリップの側面図であり、ヘッド札クリップ５０は２つの挟持口５０１、５０２を備え、挟持口の開口は一定の角度をなすとともにその内部（開口付近）に歯５０３、５０４がそれぞれ形成されている。図５Ｂに示すように、棚板２１の、接続部材４０が装着される側（たとえば後面）の上端には複数の切欠き３が形成されている。図５Ｃ、図５Ｄに示すように、第１の挟持口５０１は前記上端の下方のに位置しかつ下へ方向に折り曲げられた縁３０１を挟み、かつ前記挟持口の歯５０３が切欠き３内に嵌め込まれる。第２の挟持口５０２はヘッド札５１の下縁を挟み、かつ前記挟持口の歯５０４がヘッド札５１の下縁付近の穴５１１内に嵌め込まれる。
【００１４】
図６は、本実用新案の実施例における棚板内の収納空間の区切りを表す概略図である。図６に示すように、棚板２１の上面に溝４に平行な溝６０が複数形成され、棚板２１において、溝６０内に少なくとも１つのセパレータ６１が垂直に挿入されることにより棚板２１の内部が複数の収納空間に区切られる。溝６０に垂直に挿入されるセパレータをさらに設ければ、棚板２１の内部が区切られて、様々な物品を載置する収納空間をより多く設けることができる。
【００１５】
図７は、本実用新案の実施例における棚板の組み合わせ方式を表す概略図である。図７に示すように、棚板２１は、複数の棚板ユニット２１０を、直管２２に接続される側の延在方向に沿って組み合わせてなり、各棚板ユニット２１０の左右縁は前記延在方向（幅方向）に平行な接続穴１をそれぞれ有している。（棚板ユニットの）接続を強固とするために、各側の縁に２つ以上の接続穴を設けることができ、図面では各側の縁に２つの接続穴が形成されている。接続ロッド１１が左右隣接する棚板ユニット２１０の接続穴１に同時に挿入されることで、（左右）２つの棚板ユニット２１０が接続される。これにより、棚板を左右に（幅方向）広げて異なる空間条件に対応することができる。
【００１６】
上記具体的な実施形態は、本実用新案の保護範囲を制限するものではない。当業者に周知のとおり、設計の要求およびその他の要素に応じて、様々な修正、組合せ、サブ組合せおよび代替の発生が可能である。本実用新案の思想と原則の範囲内で行われる如何なる修正、均等物との代替および改善なども、本実用新案の保護範囲内に含まれるべきである。
【産業上の利用可能性】
【００１７】
本考案によれば、狭い空間に配置する収納棚に広範囲に応用できる。
【符号の説明】
【００１８】
１    接続穴
３    切欠き
４    溝
１１    接続ロッド
２０    収納棚
２１    棚板
４０    接続部材
４１    溝形台座
４３    タング
５０    ヘッド札クリップ
５１    ヘッド札
６０    溝
６１    セパレータ
２１０    棚板ユニット
４２１、４２２    両アーム
４３１    自由端
５０１、５０２    挟持口
５０３、５０４    歯
５１１    穴
４２１１、４２２１    フック
【図１】
0003189214.tif 000003
【図２】
0003189214.tif 000004
【図３】
0003189214.tif 000005
【図４Ａ】
0003189214.tif 000006
【図４Ｂ】
0003189214.tif 000007
【図４Ｃ】
0003189214.tif 000008
【図４Ｄ】
0003189214.tif 000009
【図４Ｅ】
0003189214.tif 000010
【図４Ｆ】
0003189214.tif 000011
【図４Ｇ】
0003189214.tif 000012
【図４Ｈ】
0003189214.tif 000013
【図５Ａ】
0003189214.tif 000014
【図５Ｂ】
0003189214.tif 000015
【図５Ｃ】
0003189214.tif 000016
【図５Ｄ】
0003189214.tif 000017
【図６】
0003189214.tif 000018
【図７】
0003189214.tif 000019